(57)【要約】【課題】簡単な方法でセキュリティを強化すること。【解決手段】管理装置１０と端末２０と機器３８を施錠する電子錠３０とを備える解錠システムであって、前記管理装置は、前記端末が使用者に装着された状態において前記使用者の生体情報を取得し、取得された生体情報と登録された生体情報とに基づき前記使用者を認証し、前記使用者を認証したとき前記端末に解錠情報を記憶させ、前記電子錠は、前記使用者が前記端末を装着した状態において前記端末に記憶された前記解錠情報に基づき前記機器を解錠する解錠システム。【選択図】図２
2017086277.tif 000002
【特許請求の範囲】
【請求項１】
管理装置と端末と機器を施錠する電子錠とを備える解錠システムであって、
前記管理装置は、前記端末が使用者に装着された状態において前記使用者の生体情報を取得し、取得された生体情報と登録された生体情報とに基づき前記使用者を認証し、前記使用者を認証したとき前記端末に解錠情報を記憶させ、
前記電子錠は、前記使用者が前記端末を装着した状態において前記端末に記憶された前記解錠情報に基づき前記機器を解錠することを特徴とする解錠システム。
【請求項２】
前記機器は遊技機であり、前記電子錠は前記遊技機の扉を施錠することを特徴とする請求項１記載の解錠システム。
【請求項３】
前記解錠情報は、前記使用者が解錠権限を有する機器の識別情報を含み、
前記電子錠は、前記電子錠が施錠する機器の識別情報を記憶し、前記解錠情報に含まれる識別情報と前記電子錠が記憶する識別情報とが一致するとき、前記機器を解錠することを特徴とする請求項１または２記載の解錠システム。
【請求項４】
前記解錠情報は、前記使用者が解錠権限を有する機器の識別情報と店舗の識別情報とを含み、
前記電子錠は、前記電子錠が施錠する機器の識別情報と、前記電子錠が施錠する機器が設置された店舗の識別情報とを記憶し、前記解錠情報に含まれる機器の識別情報および店舗の識別情報と、前記電子錠が記憶する機器の識別情報および店舗の識別情報と、がそれぞれ一致するとき、前記機器を解錠することを特徴とする請求項１または２記載の解錠システム。
【請求項５】
前記管理装置は、前記使用者を認証したとき前記使用者と対応付け前記端末の識別情報を記憶することを特徴とする請求項１から４のいずれか一項記載の解錠システム。
【請求項６】
前記管理装置は、前記使用者を認証したとき前記端末に前記解錠情報とともに有効期間を記憶させ、
前記端末は、現在の時刻が前記有効期間外のとき前記解錠情報を無効とすることを特徴とする請求項１から５のいずれか一項記載の解錠システム。
【請求項７】
前記端末は、前記端末に前記解錠情報が記憶されてから前記端末が前記使用者から脱離されたとき、前記解錠情報を無効とすることを特徴とする請求項１から６のいずれか一項記載の解錠システム。
【請求項８】
前記端末は、前記電子錠が前記機器を解錠した時刻を示す時刻情報を記憶し、
前記管理装置は、前記時刻情報を、前記端末を装着した使用者と対応付けて記憶することを特徴とする請求項１から７のいずれか一項記載の解錠システム。
【請求項９】
端末が使用者に装着された状態において前記使用者の生体情報を取得し、取得された生体情報と登録された生体情報とに基づき前記使用者を認証し、前記使用者を認証したとき、機器を施錠する電子錠に前記機器を解錠させる解錠情報を前記端末に記憶させる制御部を具備し、
前記電子錠は、前記使用者が前記端末を装着した状態において前記端末に記憶された前記解錠情報に基づき前記機器を解錠することを特徴とする管理装置。
【請求項１０】
使用者に装着される装着部と、
前記装着部が前記使用者に装着された状態において管理装置が前記使用者の生体情報を取得し、前記管理装置が取得された生体情報と登録された生体情報とに基づき前記使用者を認証したとき、前記管理装置により解錠情報が記憶される記憶部と、
前記装着部が前記使用者に装着された状態において、電子錠に、前記記憶部に記憶された前記解錠情報に基づき機器を解錠させる制御部と、
を具備することを特徴とする端末。
【請求項１１】
機器を施錠する錠部と、
使用者が端末を装着した状態において前記端末に記憶された解錠情報に基づき前記錠部に前記機器を解錠させる制御部と、
を具備し、
前記解錠情報は、前記端末が前記使用者に装着された状態において管理装置が前記使用者の生体情報を取得し、前記管理装置が取得された生体情報と登録された生体情報とに基づき前記使用者を認証したとき、前記管理装置により、前記端末に記憶されることを特徴とする電子錠。
【請求項１２】
コンピュータまたはプロセッサに、
端末が使用者に装着された状態において前記使用者の生体情報を取得するステップと、
取得された生体情報と登録された生体情報とに基づき前記使用者を認証するステップと、
前記使用者を認証したとき、機器を施錠する電子錠に前記機器を解錠させる解錠情報を前記端末に記憶させるステップと、
を実行させ、
前記電子錠は、前記使用者が前記端末を装着した状態において前記端末に記憶された前記解錠情報に基づき前記機器を解錠することを特徴とする解錠プログラム。
【発明の詳細な説明】
【技術分野】
【０００１】
本発明は、解錠システム、解錠プログラム、管理装置、端末および電子錠に関し、例えば機器を解錠する解錠システム、解錠プログラム、管理装置、端末および電子錠に関する。
【背景技術】
【０００２】
例えば、パチンコやパチスロ等の遊技機は、不正が行なわれないように、ガラス扉や筐体の扉が施錠されている。扉等を施錠することにより、遊技機の内部の設定が改ざん（例えばピンの配置や記憶装置内のデータやプログラムの改ざん）されることを防止する。これらの扉の錠の解錠は鍵を持つ特定の使用者に限られる。特許文献１には、使用者が装着した送信ユニットからの解錠信号により、扉等を解錠することが記載されている。
【先行技術文献】
【特許文献】
【０００３】
【特許文献１】特開２００４−３３２３０２号公報
【発明の概要】
【発明が解決しようとする課題】
【０００４】
特許文献１においては、送信ユニットを操作する者が解錠する権限を有する者であるかの確認が不十分である。特許文献１の００１２段落に、脈拍データを登録されている波形データと照合する機能を付加することによって、セキュリティを更に強化することが記載されている。しかしながら、具体的な方法が記載されておらず、複雑なシステムとなる可能性がある。
【０００５】
本発明は、上記課題に鑑みなされたものであり、簡単な方法でセキュリティを強化することを目的とする。
【課題を解決するための手段】
【０００６】
本発明は、管理装置と端末と機器を施錠する電子錠とを備える解錠システムであって、前記管理装置は、前記端末が使用者に装着された状態において前記使用者の生体情報を取得し、取得された生体情報と登録された生体情報とに基づき前記使用者を認証し、前記使用者を認証したとき前記端末に解錠情報を記憶させ、前記電子錠は、前記使用者が前記端末を装着した状態において前記端末に記憶された前記解錠情報に基づき前記機器を解錠することを特徴とする解錠システムである。
【０００７】
上記構成において、前記機器は遊技機であり、前記電子錠は前記遊技機の扉を施錠する構成とすることができる。
【０００８】
上記構成において、前記解錠情報は、前記使用者が解錠権限を有する機器の識別情報を含み、前記電子錠は、前記電子錠が施錠する機器の識別情報を記憶し、前記解錠情報に含まれる識別情報と前記電子錠が記憶する識別情報とが一致するとき、前記機器を解錠する構成とすることができる。
【０００９】
上記構成において、前記解錠情報は、前記使用者が解錠権限を有する機器の識別情報と店舗の識別情報とを含み、前記電子錠は、前記電子錠が施錠する機器の識別情報と、前記電子錠が施錠する機器が設置された店舗の識別情報とを記憶し、前記解錠情報に含まれる機器の識別情報および店舗の識別情報と、前記電子錠が記憶する機器の識別情報および店舗の識別情報と、がそれぞれ一致するとき、前記機器を解錠する構成とすることができる。
【００１０】
上記構成において、前記管理装置は、前記使用者を認証したとき前記使用者と対応付け前記端末の識別情報を記憶する構成とすることができる。
【００１１】
上記構成において、前記管理装置は、前記使用者を認証したとき前記端末に前記解錠情報とともに有効期間を記憶させ、前記端末は、現在の時刻が前記有効期間外のとき前記解錠情報を無効とする構成とすることができる。
【００１２】
上記構成において、前記端末は、前記端末に前記解錠情報が記憶されてから前記端末が前記使用者から脱離されたとき、前記解錠情報を無効とする構成とすることができる。
【００１３】
上記構成において、前記端末は、前記電子錠が前記機器を解錠した時刻を示す時刻情報を記憶し、前記管理装置は、前記時刻情報を、前記端末を装着した使用者と対応付けて記憶する構成とすることができる。
【００１４】
本発明は、端末が使用者に装着された状態において前記使用者の生体情報を取得し、取得された生体情報と登録された生体情報とに基づき前記使用者を認証し、前記使用者を認証したとき、機器を施錠する電子錠に前記機器を解錠させる解錠情報を前記端末に記憶させる制御部を具備し、前記電子錠は、前記使用者が前記端末を装着した状態において前記端末に記憶された前記解錠情報に基づき前記機器を解錠することを特徴とする管理装置である。
【００１５】
本発明は、使用者に装着される装着部と、前記装着部が前記使用者に装着された状態において管理装置が前記使用者の生体情報を取得し、前記管理装置が取得された生体情報と登録された生体情報とに基づき前記使用者を認証したとき、前記管理装置により解錠情報が記憶される記憶部と、前記装着部が前記使用者に装着された状態において、電子錠に、前記記憶部に記憶された前記解錠情報に基づき機器を解錠させる制御部と、を具備することを特徴とする端末である。
【００１６】
本発明は、機器を施錠する錠部と、使用者が端末を装着した状態において前記端末に記憶された解錠情報に基づき前記錠部に前記機器を解錠させる制御部と、を具備し、前記解錠情報は、前記端末が前記使用者に装着された状態において管理装置が前記使用者の生体情報を取得し、前記管理装置が取得された生体情報と登録された生体情報とに基づき前記使用者を認証したとき、前記管理装置により、前記端末に記憶されることを特徴とする電子錠である。
【００１７】
本発明は、コンピュータまたはプロセッサに、端末が使用者に装着された状態において前記使用者の生体情報を取得するステップと、取得された生体情報と登録された生体情報とに基づき前記使用者を認証するステップと、前記使用者を認証したとき、機器を施錠する電子錠に前記機器を解錠させる解錠情報を前記端末に記憶させるステップと、を実行させ、前記電子錠は、前記使用者が前記端末を装着した状態において前記端末に記憶された前記解錠情報に基づき前記機器を解錠することを特徴とする解錠プログラムである。
【発明の効果】
【００１８】
本発明によれば、簡単な方法でセキュリティを強化することができる。
【図面の簡単な説明】
【００１９】
【図１】図１は、実施例１に係る解錠システムを示す模式図である。
【図２】図２（ａ）から図２（ｃ）は、それぞれ管理装置、端末および機器のブロック図である。
【図３】図３（ａ）から図３（ｄ）は、各記憶部に記憶された情報の例を示す図である。
【図４】図４は、管理装置のプロセッサが行なう処理を示すフローチャートである。
【図５】図５は、図４のステップＳ２０の処理を示すフローチャートである。
【図６】図６は、電子錠のプロセッサが行なう処理を示すフローチャートである。
【図７】図７は、管理装置のプロセッサが行なう処理を示すフローチャートである。
【図８】図８は、端末のプロセッサが行なう処理を示すフローチャートである。
【発明を実施するための形態】
【００２０】
以下、図面を参照し本発明の実施例について説明する。
【実施例１】
【００２１】
実施例１は、機器として遊技機、電子錠として遊技機の扉を解錠する遊技機用錠の例である。図１は、実施例１に係る解錠システムを示す模式図である。図１に示すように、パチンコホール等の店舗４５内に、管理装置１０、検出器１７、端末２０、接続装置４６および遊技機等の機器３８が設置されている。解錠システム１００は、管理装置１０、端末２０および機器３８を備えている。
【００２２】
管理装置１０は、例えば店舗４５内の遊技機を管理するホールコンピュータである。また、管理装置１０は、ホールコンピュータと無線で接続されたスマートホン等の携帯端末でもよい。管理装置１０は、専用のコンピュータでもよく、パソコン等の汎用のコンピュータまたはスマートホン等に専用のアプリケーション等のプログラム（解錠プログラム）をインストールしたものでもよい。検出器１７は、使用者の生体情報を検出する。生体情報は、例えば静脈パターン、指紋パターンまたは虹彩パターンである。検出器１７は専用の装置でもよいし、コンピュータまたはスマートホンに設けられたカメラでもよい。例えば、カメラで静脈パターン等を撮像することで、静脈パターン等を検出する。
【００２３】
端末２０は、例えば使用者に装着されて用いられるウエアラブル端末である。例えば端末２０が使用者の手首に装着される場合、端末２０は手首に巻かれるバンド等の装着部２８を有する。端末２０は、指に装着される指輪型、または頭に装着される眼鏡型等でもよい。
【００２４】
機器３８は、例えばパチンコ機またはパチスロ機等の遊技機である。機器３８は、扉３７および電子錠３０を備えている。扉３７は、例えばガラス扉または筐体の扉である。例えば、機器３８の内部には、操作面４２および制御装置４０が設けられている。操作面４２は、リールまたは釘などを有する。制御装置４０には、遊技機に用いるプログラムおよびデータが記憶されている。扉３７を開けることで、パチンコ台のピン配置またはパチスロのリール配置等を操作できる。また、制御装置４０に記憶されているプログラムおよびデータを操作できる。機器３８は、接続装置４６を介し管理装置１０と情報（例えば出玉情報）の送受信を行なうことができる。接続装置４６と機器３８および管理装置１０との接続は無線または有線で行なうことができる。
【００２５】
端末２０と管理装置１０との情報の送受信、および、端末２０と電子錠３０との情報の送受信には、例えばＮＦＣ（Near Field Communication）、ワイヤレスＬＡＮ（Local Area Network）、Ｂｌｕｅｔｏｏｔｈ（登録商標）または赤外線通信等を用いた無線方式を用いることができる。これらの送受信には、有線方式を用いてもよい。送受信を簡便に行なうため無線方式を用いることが好ましい。管理装置１０との送受信と、電子錠３０との送受信と、は異なる通信方式を用いてもよい。
【００２６】
図２（ａ）から図２（ｃ）は、それぞれ管理装置、端末および機器のブロック図である。図２（ａ）に示すように、管理装置１０は、プロセッサ１２、記憶部１３、インターフェース１４、送受信部１５および内部バス１６を備える。プロセッサ１２は、例えばＣＰＵ（Central Processing Unit）であり、制御部として機能する。また、プロセッサ１２は解錠プログラムを実行する。記憶部１３は、ＲＡＭ（Random Access Memory）等の揮発性メモリまたはフラッシュメモリ等の不揮発性メモリである。インターフェース１４は検出器１７との情報の送受信を行なう。送受信部１５は、端末２０との情報の送受信を行なう。内部バス１６は、プロセッサ１２、記憶部１３、インターフェース１４および送受信部１５間において情報を伝送する。
【００２７】
端末２０は、プロセッサ２２、記憶部２３、送受信部２５、内部バス２６および検出部２７を備えている。プロセッサ２２は、例えばＣＰＵであり制御部として機能する。記憶部２３は、揮発性メモリまたは不揮発性メモリである。送受信部２５は、管理装置１０および電子錠３０との情報の送受信を行なう。検出部２７は、端末２０が使用者に装着されているか否かを検出する。検出部２７は、例えば使用者の脈拍または体温等を検出することで端末２０の脱着を検出する。内部バス２６は、プロセッサ２２、記憶部２３、送受信部２５および検出部２７間において情報を伝送する。
【００２８】
電子錠３０は、機器３８に設けられている。電子錠３０は、プロセッサ３２、記憶部３３、送受信部３５、錠部３４および内部バス３６を備えている。プロセッサ３２は、例えばＣＰＵであり制御部として機能する。記憶部３３は、揮発性メモリまたは不揮発性メモリである。送受信部３５は、端末２０との情報の送受信を行なう。錠部３４は、扉３７を施錠または解錠する。
【００２９】
管理装置１０、端末２０および電子錠３０の各記憶部１３、２３および３３に記憶される情報について説明する。図３（ａ）から図３（ｄ）は、各記憶部に記憶された情報の例を示す図である。図３（ａ）および図３（ｂ）は、管理装置１０の記憶部１３に記憶された情報を示す図である。図３（ｃ）は、端末２０の記憶部２３に記憶された情報を示す図である。図３（ｄ）は、電子錠３０の記憶部３３に記憶された情報を示す図である。
【００３０】
図３（ａ）に示すように、記憶部１３には、使用者ＩＤに対応付け、氏名、生体情報、解錠権限および有効期間が記憶されている。使用者は、例えば機器３８が設置された店舗４５の従業員である。使用者の生体情報、解錠権限および有効期限は、予め設定する。例えば、使用者を管理装置１０に登録するときに、検出器１７を用い使用者の生体情報を検出し、生体情報を記憶部１３に記憶させる。このとき、またはその後、使用者の解錠権限および有効期間を設定する。図３（ａ）では、使用者ＳＳ、ＴＴ、ＵＵ、ＶＶおよびＷＷに対応する生体情報は生体情報Ｓ、Ｔ、Ｕ、ＶおよびＷである。解錠権限を有する機器は使用者ごとに設定できる。図３（ａ）において「○」を付けた機器が解錠権限を有する機器である。例えば使用者ＳＳは、全ての機器の解錠権限を有する。使用者ＴＴは、パチンコＡ、パチンコＢ、パチスロＡ、パチスロＢおよび機器Ｂである。解錠権限は、個々の遊技機ごとに設定してもよいし、機器の種類または機器の場所等、機器をグループに分けグループごとに設定してもよい。有効期間は、解錠権限を有する期間を示す。例えば、使用者ＳＳは全ての期間において解錠権限を有する。使用者ＴＴは９：００から１８：００の間のみ解錠権限を有する。
【００３１】
図３（ｂ）に示すように、記憶部１３には、使用者ＩＤに対応付け、氏名、端末ＩＤ、出社時刻、退社時刻、機器ごとの解錠時刻および施錠時刻を記憶できる。端末ＩＤは、端末２０を識別する情報である。出社時刻および退社時刻は使用者が出社した時刻および退社した時刻である。解錠時刻および施錠時刻は、使用者が機器３８を解錠および施錠した時刻である。
【００３２】
図３（ｃ）に示すように、記憶部２３は、店舗ＩＤ、有効期間、装着状態および有効フラグを記憶する。店舗ＩＤは店舗の識別情報である。有効期間は、解錠情報の有効な期間を示す。装着状態は検出部２７が検出した端末２０の装着状態を示す。例えば、検出部２７は一定期間ごと（または連続的）に端末２０が装着されているかを検出する。記憶部２３は、検出部２７の検出結果を装着状態として記憶する。有効フラグは、解錠権限が有効か否かを示す。解錠情報として、解錠権限を有する機器ＩＤが記憶されている。機器ＩＤに対応し、解錠時刻および施錠時刻が記憶できる。解錠時刻および施錠時刻は、個々の遊技機ごとに記憶してもよいし、一度に解錠および施錠した遊技機のグループごとに記憶してもよい。
【００３３】
図３（ｄ）に示すように、記憶部３３には、店舗ＩＤおよび機器ＩＤが記憶されている。店舗ＩＤおよび機器ＩＤは予め記憶部３３に記憶されている。
【００３４】
次に、管理装置１０が端末２０に解錠情報を書き込むときの動作を説明する。図４は、管理装置１０のプロセッサ１２が行なう処理を示すフローチャートである。使用者が出社すると、使用者は端末２０を例えば手首に装着する。例えば使用者を手のひらの静脈パターンで認証する場合、使用者は、手のひらを検出器１７にかざす。図４に示すように、プロセッサ１２は、端末２０を検出する（ステップＳ１０）。例えば、プロセッサ１２は、送受信部１５を介し端末２０を検出する。管理装置１０に近接する端末２０を検出するため、送受信部１５は、ＮＦＣ等の短距離通信を用いることが好ましい。例えば使用者が端末２０を送受信部１５にかざすことにより、送受信部１５と２５とが通信を行ない、プロセッサ１２は端末２０を検出する。また、使用者が端末２０を操作することにより、端末２０から管理装置１０に要求情報が送信され、プロセッサ１２が端末２０を検出することもできる。以下のプロセッサ３２による端末２０の検出も同様である。
【００３５】
プロセッサ１２は、端末２０が使用者に装着されているか判定する（ステップＳ１２）。例えば、プロセッサ１２は、送受信部１５を介し端末２０の記憶部２３内の装着状態が「装着」か「非装着」かを判定する。「装着」のときＹｅｓ、「非装着」のときＮｏと判定する。記憶部２３は装着状態を記憶しておらず、プロセッサ１２は、プロセッサ２２を介し検出部２７に端末２０の装着状態を検出させ、検出結果を取得してもよい。プロセッサ３２による装着状態の判定も同様である。Ｎｏのとき終了する。Ｙｅｓのとき、プロセッサ１２は、検出器１７に端末２０を装着した使用者の生体情報を取得させる（ステップＳ１４）。例えば、検出器１７は、使用者の手のひらの静脈パターンを生体情報として検出する。プロセッサ１２は、インターフェース１４を介し検出器１７から生体情報を取得する。
【００３６】
プロセッサ１２は、取得した生体情報と記憶部１３に記憶された生体情報とに基づき、使用者を認証するか否かを判定する（ステップＳ１６）。例えばプロセッサ１２は、取得した生体情報と図３（ａ）に示した記憶部１３内の使用者ＳＳからＷＷの生体情報とを比較する。取得した生体情報が使用者ＴＴの生体情報Ｔに一致したとき、プロセッサ１２は、端末２０を装着した使用者を使用者ＴＴと認証し、Ｙｅｓと判定する。記憶部１３に取得した生体情報と一致する生体情報が記憶されていないときＮｏと判定する。Ｎｏのとき終了する。Ｙｅｓのとき。プロセッサ１２は使用者の出社を記録する（ステップＳ１８）。例えば、プロセッサ１２は、記憶部１３内の使用者ＴＴの出社時刻に現在の時刻を記憶する。プロセッサ１２は、端末書き込み処理を行なう（ステップＳ２０）。その後終了する。
【００３７】
図５は、図４のステップＳ２０の処理を示すフローチャートである。図５に示すように、プロセッサ１２は、端末２０が使用者に装着されているか判定する（ステップＳ２２）。ステップＳ２２は省略してもよい。Ｎｏのとき終了する。Ｙｅｓのとき、プロセッサ１２は、端末２０と使用者とを対応付ける（ステップＳ２４）。例えば、プロセッサ１２は、図３（ｂ）のように記憶部１３内の使用者ＴＴの端末ＩＤとしてこの端末２０のＩＤ「００２」を記憶する。プロセッサ１２は、解錠情報を端末２０の記憶部２３に書き込む（ステップＳ２６）。例えば、図３（ｃ）のように、プロセッサ１２は使用者ＴＴが解錠権限を有する機器３８の機器ＩＤおよび有効期間、並びに店舗ＩＤを、機器ＩＤに対応付けて記憶部２３に書き込む。セキユリティ向上のため、記憶部２３に書き込む情報は暗号化してもよい。プロセッサ１２は、端末２０を有効化する（ステップＳ２８）。例えば、図３（ｃ）の有効フラグを「有効」とする。その後終了する。
【００３８】
次に、電子錠３０が機器３８を解錠するときの動作を説明する。端末２０を装着した使用者は、有効期間内の任意の時間において解錠する機器３８に移動する。図６は、電子錠３０のプロセッサ３２が行なう処理を示すフローチャートである。図４および図５の処理を実行することにより、端末２０に解錠情報が記憶されている。図６に示すように、プロセッサ３２は、端末２０を検出する（ステップＳ３０）。例えば、プロセッサ３２は、送受信部３５を介し端末２０を検出する。
【００３９】
プロセッサ３２は、端末２０が有効か判定する（ステップＳ３２）。例えば、プロセッサ３２は、送受信部３５を介し図３（ｃ）の記憶部２３内の有効フラグを取得する。有効フラグが「有効」のときＹｅｓ、「無効」のときＮｏと判定する。Ｎｏのとき終了する。Ｙｅｓのとき、プロセッサ３２は、端末２０が使用者に装着されているか判定する（ステップＳ３４）。例えば、プロセッサ３２は、送受信部３５を介し端末２０の記憶部２３内の装着状態が「装着」か「非装着」かを判定する。「装着」のときＹｅｓ、「非装着」のときＮｏと判定する。Ｎｏのとき終了する。Ｙｅｓのとき、プロセッサ３２は、送受信部３５を介し端末２０から解錠情報を取得する（ステップＳ３６）。例えば、プロセッサ３２は、端末２０の記憶部２３から店舗ＩＤおよび機器ＩＤを取得する。記憶部２３に記憶された情報が暗号化されている場合、複号化する。
【００４０】
プロセッサ３２は、取得した解錠情報に基づき機器３８を解錠するか否か判定する（ステップＳ３８）。例えば、プロセッサ３２は、取得した店舗ＩＤと記憶部３３が記憶する店舗ＩＤが一致するか判定する。また、プロセッサ３２は、取得した機器ＩＤが記憶部３３に記憶された機器ＩＤに一致するか判定する。店舗ＩＤおよび機器ＩＤともに一致したとき、Ｙｅｓと判定する。店舗ＩＤおよび機器ＩＤのいずれかが異なるとき、Ｎｏと判定する。例えば図３（ｃ）の記憶部２３に記憶された店舗ＩＤ「ＡＡＡ」および機器ＩＤ「パチンコＢ」は、図３（ｄ）の記憶部３３に記憶された店舗ＩＤ「ＡＡＡ」および機器ＩＤ「パチンコＢ」と一致する。よって、プロセッサ３２はＹｅｓと判定する。プロセッサ３２は、店舗ＩＤを用いず、機器ＩＤのみで解錠するか否か判定してもよい。
【００４１】
Ｎｏのとき終了する。Ｙｅｓのとき、プロセッサ３２は、機器３８を解錠する（ステップＳ４０）。例えば、プロセッサ３２は、錠部３４に扉３７を解錠させる。プロセッサ３２は、解錠した時刻を端末２０に書き込む（ステップＳ４２）。例えば、プロセッサ３２は、送受信部３５を介し、端末２０の記憶部２３内の機器ＩＤが「パチンコＢ」の解錠時刻を解錠した時刻とする。その後終了する。使用者は、他の機器３８の解錠を行なう。
【００４２】
機器３８の施錠（機器３８の扉３７の施錠）は、図６と同様の方法で行なうことができる。解錠処理と施錠処理とは端末２０または電子錠３０に設けられたスイッチまたはボタン等の操作部で切り替えることができる。端末２０の記憶部２３は機器３８に対応し施錠した時刻が記憶される。また、解錠から一定期間過ぎると自動的に機器３８を施錠してもよい。所定時刻となると自動的に機器３８を施錠してもよい。
【００４３】
次に、管理装置１０が解錠時刻を記憶する動作を説明する。使用者が退社するとき、使用者は管理装置１０に移動する。図７は、管理装置１０のプロセッサ１２が行なう処理を示すフローチャートである。図７に示すように、プロセッサ１２は、端末２０を検出する（ステップＳ５０）。プロセッサ１２は、端末２０が使用者に装着されているか判定する（ステップＳ５２）。Ｎｏのとき終了する。Ｙｅｓのとき、プロセッサ１２は、使用者の退社を記録する（ステップＳ５４）。例えばプロセッサ１２は、図３（ｂ）のように記憶部１３の使用者ＴＴの退社時刻として現在の時刻を記憶する。プロセッサ１２は、端末２０に記憶された解錠時刻を記憶部１３に記憶する（ステップＳ５６）。例えば、プロセッサ１２は、図３（ｃ）の記憶部２３内のパチンコＢの解錠時刻を、図３（ｂ）の記憶部１３内のパチンコＢの解錠時刻として記憶する。プロセッサ１２は、解錠時刻とともに施錠時刻を記憶部１３に記憶してもよい。プロセッサ１２は、端末２０と使用者の対応付けを解除する（ステップＳ５８）。例えば、プロセッサ１２は、図３（ａ）の使用者ＴＴの端末ＩＤを削除する。その後終了する。使用者は端末２０を外し退社する。解錠時刻の記憶を使用者が退社するときに行なっているが、解錠時刻の記憶は、就業時間中に定期的または不定期に行なってもよい。
【００４４】
次に端末２０の動作を説明する。図８は、端末２０のプロセッサ２２が行なう処理を示すフローチャートである。図８に示すように、使用者が出社したとき、図５のステップＳ２６において、プロセッサ２２は、管理装置１０から取得した解錠情報を記憶部２３に記憶する（ステップＳ６０）。図５のステップＳ２８において、プロセッサ２２は、管理装置１０の指示により端末２０を有効化する（ステップＳ６２）。
【００４５】
その後、プロセッサ２２は、端末２０が使用者に装着されているか判定する（ステップＳ６４）。例えば記憶部３３内の装着状態が装着のときＹｅｓ、非装着のときＮｏと判定する。Ｙｅｓのとき、プロセッサ２２は有効期間内か判定する（ステップＳ６６）。例えば、現在の時刻が記憶部２３内の有効期間内のときＹｅｓ、有効期間外のときＮｏと判定する。ステップＳ６４またはステップＳ６６においてＮｏのとき、プロセッサ２２は、記憶部２３の有効フラグを「無効」とする（ステップＳ７４）。有効フラグが「無効」のとき、プロセッサ２２は、電子錠３０に解錠情報を送信せずに終了する。ステップＳ６４およびＳ６６の一方の判定のみを行なってもよい。
【００４６】
その後、使用者が機器３８を解錠するとき、プロセッサ２２は、電子錠３０を検出したか判定する（ステップＳ６８）。Ｎｏのとき、ステップＳ６４に戻る。Ｙｅｓのとき、図６のステップＳ３６において、プロセッサ２２は電子錠３０に解錠情報を送信する（ステップＳ７０）。図６のステップＳ４２において、プロセッサ２２は、電子錠３０から取得した解錠時刻を記憶部２３に記憶する（ステップＳ７２）。その後終了する。
【００４７】
実施例１によれば、図４のステップＳ１４のように、管理装置１０は端末２０が使用者に装着された状態において使用者の生体情報を取得する。ステップＳ１６のように、管理装置１０は取得された生体情報と登録された生体情報とに基づき使用者を認証する。図５のステップＳ２６のように、管理装置１０は使用者を認証したとき端末２０に解錠情報を記憶させる。図６のステップＳ３８およびＳ４０のように、電子錠３０は、使用者が端末２０を装着した状態において端末２０に記憶された解錠情報に基づき機器３８を解錠する。
【００４８】
管理装置１０が端末２０を装着した使用者を認証したときに、端末２０は解錠情報を記憶する。そして、端末２０が使用者に装着された状態において解錠情報に基づき機器３８を解錠する。これにより、認証された使用者のみが機器３８を解錠でき、セキュリティが向上する。
【００４９】
仮に、端末２０が生体情報を取得する場合、検出器１７および生体情報を記憶する記憶部を各端末２０に設けることになる。このため、使用者に装着する端末２０が大型化する。また、管理装置１０と端末２０との間、または端末２０と電子錠３０との間で認証情報を送受信することになる。このため、多くの情報の送受信を行なうことになる。一方、実施例１では、検出器１７および生体情報を記憶する記憶部は管理装置１０に設けられている。このため、端末２０を小型化できる。また、各送受信の情報量を削減できる。よって、解錠システム１００を簡素化できる。このように、簡単な方法でセキリュティ機能を向上できる。
【００５０】
さらに、実施例１では、使用者を認証したときに、解錠情報を端末２０に書き込む。このように、使用者の認証と解錠情報の書き込みを連続して行なうため、使用者の生体認証は１回でよく、使用者が機器３８を操作するたびに生体認証を行なわなくてもよい。よって生体認証の回数を削減できる。認証を管理装置１０で行なうため、電子錠３０に高度な認証機能は不要となる。新しい生体認証技術を導入する場合においても管理装置１０の修正で可能となる。
【００５１】
実施例１のように、機器３８は遊技機であり、電子錠３０は遊技機の扉３７を施錠する遊技機用錠である。遊技機の扉３７の管理は、不正が行なわれないように、厳重に管理することが求められる。実施例１によれば、遊技機の解錠システムのセキュリティを簡単な方法で高めることができる。機器３８は遊技機以外の機器でもよい。機器３８の解錠は、遊技機の扉３７のように物理的な扉の解錠でもよい。また、機器３８の解錠は、プログラム、アプリケーションまたはデータへのアクセスがロックされているときに、これらのロックを解除するなどの機器３８のソフト的な解錠でもよい。
【００５２】
また、図３（ａ）のように、解錠情報は、使用者が解錠権限を有する機器３８の機器ＩＤ（機器の識別情報）を含む。図３（ｄ）のように、電子錠３０は、電子錠３０が施錠する機器３８の機器ＩＤを記憶する。図６のステップＳ３８およびＳ４０のように、電子錠３０は、解錠情報に含まれる機器ＩＤと電子錠３０が記憶する機器ＩＤとが一致するとき、機器３８を解錠する。これにより、簡単に機器３８ごとまたは機器３８のグループごとに解錠の権限を設定できる。
【００５３】
さらに、図３（ａ）のように、解錠情報は、使用者が解錠権限を有する機器３８の機器ＩＤと店舗ＩＤ（店舗の識別情報）とを含む。図３（ｄ）のように、電子錠３０は、電子錠３０が施錠する機器ＩＤと、電子錠３０が施錠する機器３８が設置された店舗ＩＤとを記憶する。図６のステップＳ３８およびＳ４０のように、電子錠３０は、解錠情報に含まれる機器ＩＤおよび店舗ＩＤと、電子錠３０が記憶する機器ＩＤおよび店舗ＩＤと、がそれぞれ一致するとき、機器３８を解錠する。これにより、他の店舗の端末を用い機器が解錠されることが抑制され、セキュリティがより向上する。実施例１では、機器ＩＤと店舗ＩＤがそれぞれ一致するとき機器３８を解錠しているが、店舗ＩＤを用いず、機器ＩＤが一致するときに機器３８を解錠してもよい。解錠情報として、機器ＩＤおよび店舗ＩＤ以外の情報を用いてもよい。
【００５４】
さらに、図３（ａ）および図５のステップＳ２４のように、管理装置１０は、使用者を認証したとき使用者と対応付け端末２０の端末ＩＤ（識別情報）を記憶する。これにより、機器３８を解除した使用者の履歴を記憶できる。また、使用者の識別情報を端末に書き込まなくてもよくなる。
【００５５】
さらに、図３（ｃ）のように、管理装置１０は、使用者を認証したとき端末２０に解錠情報とともに有効期間を記憶させる。図８のステップＳ６６およびＳ７４のように、端末２０は、現在の時刻が有効期間外のとき解錠情報を無効とする。これにより、使用者が勤務時間以外に不正に機器３８を解錠することを抑制できる。有効期間は、曜日または日にちによって変えてもよい。また、端末２０が解錠情報を記憶してから所望の期間を有効期間としてもよい。
【００５６】
さらに、図８のステップＳ６４およびＳ７４のように、端末２０は、端末２０に解錠情報が記憶されてから端末２０が使用者から脱離されたとき、解錠情報を無効とする。これにより、認証された使用者以外が機器３８を解錠することを抑制できる。
【００５７】
さらに、図３（ｃ）および図６のステップＳ４２のように、端末２０は、電子錠３０が機器３８を解錠した時刻を示す情報（時刻情報）を記憶する。図３（ｂ）および図７のＳ５６のように、管理装置１０は、解錠時刻を、端末２０を装着した使用者と対応付けて記憶する。これにより、使用者が機器を解錠した時刻の履歴を記憶できる。端末２０および管理装置１０が記憶する時刻情報は、解錠した時刻と施錠した時刻との情報でもよい。時刻情報等は、電子錠３０から端末２０を介さずに管理装置１０に送信してもよい。
【００５８】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００５９】
１０        管理装置
１２        プロセッサ
１３        記憶部
１７        検出器
２０        端末
２２        プロセッサ
２３        記憶部
２７        検出部
３０        電子錠
３２        プロセッサ
３３        記憶部
３７        扉
３８        機器
【図１】
2017086277.tif 000003
【図２】
2017086277.tif 000004
【図３】
2017086277.tif 000005
【図４】
2017086277.tif 000006
【図５】
2017086277.tif 000007
【図６】
2017086277.tif 000008
【図７】
2017086277.tif 000009
【図８】
2017086277.tif 000010